【手続補正書】
【提出日】令和3年11月18日(2021.11.18)
【手続補正１】
【補正対象書類名】特許請求の範囲
【補正対象項目名】全文
【補正方法】変更
【補正の内容】
【特許請求の範囲】
【請求項１】
データ検索システムへの問合せへの少ない待ち時間の応答を提供するためのコンピュータ実行方法であって、
第１デジタルデータを第１デジタルデータリポジトリに第１列指向記憶形式を使用して記憶するステップと、
第２デジタルデータを第２デジタルデータリポジトリに前記第１列指向記憶形式と異なる第２列指向記憶形式を使用して記憶するステップと、
複数の予め計算されたビューを前記第１デジタルデータ及び前記第２デジタルデータ両方に基づいて生成するステップと、
前記複数の予め計算されたビューを前記第２デジタルデータリポジトリに前記第２列指向記憶形式を使用して記憶するステップと、
検索問合せを受信したことに応答して、前記問合せに答える結果セットを前記複数の予め計算されたビューのうち１つ以上の特定の予め計算されたビューに基づいて決定し、前記結果セットを別のコンピュータ又は表示装置に出力として提供するステップと
を含み、１つ以上の計算装置を使用して実行されるコンピュータ実行方法。
【請求項２】
前記第１列指向記憶形式はＫｕｄｕデータ形式である、請求項１記載の方法。
【請求項３】
前記第２列指向記憶形式はＰａｒｑｕｅｔデータ形式である、請求項１記載の方法。
【請求項４】
前記第１デジタルデータリポジトリ及び前記第２デジタルデータリポジトリは分散ファイルシステムに格納される、請求項１記載の方法。
【請求項５】
前記１つ以上の計算装置は、ジョブサーバーによって管理されるクラスター化された１つ以上の計算インスタンスから成る、請求項１記載の方法。
【請求項６】
前記ジョブサーバーのメモリに前記クラスター化された１つ以上の計算インスタンスのために永続性接続コンテキストデータを記憶するステップを更に含む請求項５記載の方法。
【請求項７】
前記第１デジタルデータは複数のリスクエクスポージャーに関連するエクスポージャーデータから成り、各リスクエクスポージャーは一組のリスク項目を指定し、
前記第２デジタルデータは複数のリスク項目に関連するリスク項目データから成り、前記複数のリスク項目は少なくとも前記指定された複数組のリスク項目を含む、請求項１記載の方法。
【請求項８】
前記リスク項目データは複数のリスク項目種類を含み、
該方法は、
前記複数のリスク項目種類のうちの各リスク項目種類について、前記リスク項目種類に関連するスキーマを記憶するステップを更に含み、
追加のリスク項目種類を加えることは前記追加のリスク項目種類に関連するスキーマを記憶することを含む、請求項７記載の方法。
【請求項９】
前記問合せは第１リスク項目種類及び第２リスク項目種類を指定し、
該方法は、
前記第１リスク項目種類に関連する第１スキーマを前記第２リスク項目種類に関連する第２スキーマと結合して結合されたスキーマを生成するステップと、
前記第１リスク項目種類及び前記第２リスク項目種類を含む結合されたリスク項目ビューを前記結合されたスキーマを使用して生成するステップと、
前記問合せを前記結合されたリスク項目ビューに基づいて処理するステップと
を更に含む請求項８記載の方法。
【請求項１０】
予め計算されたビューを生成するステップは、前記第１列指向記憶形式を使用して記憶された第１組のデータを前記第２列指向記憶形式を使用して記憶された第２組のデータと連結することを含む、請求項１記載の方法。
【請求項１１】
少ない待ち時間の検索問合せ応答を提供するためにプログラムされたサーバーコンピュータシステムであって、
Ｋｕｄｕデータリポジトリと、
Ｐａｒｑｕｅｔデータリポジトリと、
Ｓｐａｒｋクラスターマネージャーによって管理されるＳｐａｒｋクラスター化された複数の計算インスタンスと、
命令群を記憶する持続性コンピュータ読取可能媒体であって、前記命令群は１つ以上のプロセッサにより実行される時、前記Ｓｐａｒｋクラスター化された複数の計算インスタンスに
エクスポージャーデータを前記Ｋｕｄｕデータリポジトリに記憶するステップと、
リスク項目データを前記Ｐａｒｑｕｅｔデータリポジトリに記憶するステップと、
複数の予め計算されたビューを前記エクスポージャーデータ及び前記リスク項目データに基づいて生成するステップと、
前記複数の予め計算されたビューを前記Ｐａｒｑｕｅｔデータリポジトリに記憶するステップと、
問合せを受信したことに応答して、前記問合せを前記複数の予め計算されたビューのうち１つ以上の特定の予め計算されたビューに基づいて処理するステップと
を実行させる、持続性コンピュータ読取可能媒体と
を備えるサーバーコンピュータシステム。
【請求項１２】
少ない待ち時間の検索問合せ応答を提供するためにプログラムされたサーバーコンピュータシステムであって、
第１列指向記憶形式を利用する第１デジタルデータリポジトリと、
前記第１列指向記憶形式と異なる第２列指向記憶形式を利用する第２デジタルデータリポジトリと、
クラスター化された複数の計算インスタンスと、
命令群を記憶する持続性コンピュータ読取可能媒体であって、前記命令群は１つ以上のプロセッサにより実行される時、前記クラスター化された複数の計算インスタンスに
第１デジタルデータを前記第１デジタルデータリポジトリに前記第１列指向記憶形式を使用して記憶するステップと、
第２デジタルデータを前記第２デジタルデータリポジトリに前記第２列指向記憶形式を使用して記憶するステップと、
複数の予め計算されたビューを前記第１デジタルデータ及び前記第２デジタルデータ両方に基づいて生成するステップと、
前記複数の予め計算されたビューを前記第２デジタルデータリポジトリに前記第２列指向記憶形式を使用して記憶するステップと、
検索問合せを受信したことに応答して、前記検索問合せに答える結果セットを前記複数の予め計算されたビューのうち１つ以上の特定の予め計算されたビューに基づいて決定し、前記結果セットを別のコンピュータ又は表示装置に出力として提供するステップと
を実行させる、持続性コンピュータ読取可能媒体と
を備えるサーバーコンピュータシステム。
【請求項１３】
前記第１列指向記憶形式はＫｕｄｕデータ形式である、請求項１２記載のサーバーコンピュータシステム。
【請求項１４】
前記第２列指向記憶形式はＰａｒｑｕｅｔデータ形式である、請求項１２記載のサーバーコンピュータシステム。
【請求項１５】
前記第１デジタルデータリポジトリ及び前記第２デジタルデータリポジトリは分散ファイルシステムに格納される、請求項１２記載のサーバーコンピュータシステム。
【請求項１６】
前記クラスター化された複数の計算インスタンスのうち全ての計算インスタンスはジョブサーバーによって管理される、請求項１２記載のサーバーコンピュータシステム。
【請求項１７】
前記ジョブサーバーは前記クラスター化された複数の計算インスタンスのために永続性接続コンテキストデータを記憶する、請求項１６記載のサーバーコンピュータシステム。
【請求項１８】
前記第１デジタルデータは複数のリスクエクスポージャーに関連するエクスポージャーデータから成り、各リスクエクスポージャーは一組のリスク項目を指定し、
前記第２デジタルデータは複数のリスク項目に関連するリスク項目データから成り、前記複数のリスク項目は少なくとも前記指定された複数組のリスク項目を含む、請求項１２記載のサーバーコンピュータシステム。
【請求項１９】
前記リスク項目データは複数のリスク項目種類を含み、
前記クラスター化された複数の計算インスタンスは、
前記複数のリスク項目種類のうちの各リスク項目種類について、前記リスク項目種類に関連するスキーマを記憶するように更に構成され、
追加のリスク項目種類を加えることは前記追加のリスク項目種類に関連するスキーマを記憶することを含む、請求項１８記載のサーバーコンピュータシステム。
【請求項２０】
前記検索問合せは第１リスク項目種類及び第２リスク項目種類を指定し、
前記クラスター化された複数の計算インスタンスは、
前記第１リスク項目種類に関連する第１スキーマを前記第２リスク項目種類に関連する第２スキーマと結合して結合されたスキーマを生成し、
前記第１リスク項目種類及び前記第２リスク項目種類を含む結合されたリスク項目ビューを前記結合されたスキーマを使用して生成し、
前記検索問合せを前記結合されたリスク項目ビューに基づいて処理するように更に構成されている、請求項１９記載のサーバーコンピュータシステム。
【手続補正２】
【補正対象書類名】図面
【補正対象項目名】図３
【補正方法】変更
【補正の内容】
【図３】
2021522570.tif 000001